(57)【特許請求の範囲】
【請求項１】
加熱によって発色する感熱発色剤を塗布されると共に，異なる香りを放出する複数の芳香材を，熱溶解または熱破壊される被覆材で被覆して芳香材毎に帯状の領域に塗布されたことを特徴とする芳香発生感熱記録紙。
【請求項２】
前記芳香感熱紙は，芳香材毎に定められた前記領域を，中央部を除いた端部に設けられたことを特徴とする請求項１に記載の芳香発生感熱記録紙。
【発明の詳細な説明】
【０００１】
【発明の属する技術分野】
本発明は，加熱によって香りを放出する芳香発生感熱記録紙に関し，さらに，ファクシミリ送受信時に，画像データに加えて所望の香りの情報を送信または受信し，受信側で香りの情報を付加できるようにした芳香発生感熱記録紙に関する。
【０００２】
【従来の技術】
一般に，人間は日常生活で様々な香りに接しながら暮らしている。香りによっては，心地よく感じる香りや，食欲をそそる香り，不愉快に感じる香りがあり，日本語では，人間がどの様に感じるかによって，香り・匂い・臭い等の文字を当てている。何れの場合も，その香りから人間は種々の情報を得ており，香りが情報伝達手段としての役割を果たしていることは明らかである。また，香りの情報が人間の感情に大きく働きかけることも知られている。
【０００３】
ところで，従来から香りにかかわる商品や，装置が数多く提供されている。例えば，臭いの打ち消し（消臭）を目的とするものとして，香水・オーデコロンのように好ましい香りを付けて身体の匂いを蔽い隠すものや，トイレ用芳香剤のように固体化した芳香剤から徐々に芳香を昇華させて，空気中の悪臭を蔽い隠すようにしたものや，トレイ用消臭剤のようにトイレの臭いの物質（例えば，アンモニア）を中和する物質を固体化し，使用時に昇華させて，空気中の臭気物質と反応させて中和させるもの等がある。換言すれば，付加した香りで元の香り（臭い）を感覚的に圧倒して蔽い隠す隠蔽剤と，化学的に反応させて元の香り（臭い）の分子のもつ働きをなくす脱臭剤とに大別できる。
【０００４】
また，香りの情報が人間の感情に大きく働きかけることを利用したものとして，アロマテラピー等で知られるように，好ましい香りで環境（空気中）を満たしてリラクゼーション効果を促すようにしたものがある。例えば，香料を蒸発させたり，線香を焚くことで好ましい香りを空気中に放出するようにした商品や等が提供されている。また，『香りと環境』（空気調和・衛生工学会編，岩橋基行著，理工学図書株式会社発行）の空調接続型香りシステムに開示されるように，香り発生装置を持ち，発生させた香りを空調機のダクトに混入させて部屋全体に香りを流すようにしたシステムも提供されている。
【０００５】
一方，オフィス環境で使用されているＯＡ機器の一つにファクシミリ装置がある。ファクシミリ装置では，送信側で原稿から画像データを読み取って，ファクシミリ送信し，受信側で受信した画像データを記録紙に出力するものである。
【０００６】
【発明が解決しようとする課題】
しかしながら，上記従来の香りを扱う技術によれば，制御可能な状態で，紙から香りを放出させるようなものは存在しなかった。
【０００７】
また，上記従来の香りを扱う技術およびファクシミリ装置によれば，香りを情報（香り情報）として扱い，画像データと共に相手先（受信側）に伝送するようなものは提供されていなかった。
【０００８】
具体的には，従来のファクシミリ装置で，香り情報を相手先に送信するものや，受信した香り情報に基づいて香りを放出するものはなかった。また，当然ながら送信側から所望の香りを指定して送信することもできなかった。
【０００９】
本発明は上記に鑑みてなされたものであって，香りを放出する媒体として紙を用い，かつ，香りの放出制御が行えることを目的とする。
【００１０】
また，本発明は上記に鑑みてなされたものであって，画像データの記録と共に，香りの放出が行え，さらに香り情報を送受信可能なファクシミリ装置を提供することを目的とする。
【００１１】
また，本発明は上記に鑑みてなされたものであって，送信側で所望の香り情報を指定して，指定した香り情報を相手（受信側）に送信し，受信側で受信した香り情報に基づいて該当する香りを放出するファクシミリ装置を提供することを目的とする。
【００１２】
【課題を解決するための手段】
上記の目的を達成するために，請求項１に係る芳香発生感熱記録紙は，加熱によって発色する感熱発色剤を塗布されると共に，異なる香りを放出する複数の芳香材を，熱溶解または熱破壊される被覆材で被覆して芳香材毎に帯状の領域に塗布されたものである。
【００１３】
また，請求項２に係る芳香発生感熱記録紙は，請求項１に記載の芳香発生感熱記録紙において，芳香材毎に定められた前記領域を，中央部を除いた端部に設けられたものである。
【００２０】
【発明の実施の形態】
以下，本発明の芳香発生感熱記録紙について，〔実施の形態１〕，〔実施の形態２〕，〔実施の形態３〕の順で，図面を参照して詳細に説明する。
【００２１】
〔実施の形態１〕
実施の形態１の芳香発生感熱装置は，香りを放出する芳香材を，熱溶解または熱破壊される被覆材で被覆して感熱紙上に塗布した芳香発生感熱紙を用いて，該芳香発生感熱紙を加熱して香りを放出させるものであう。
【００２２】
図１（ａ），（ｂ）は，実施の形態１の芳香発生感熱紙１０１の構造を示す。ここで，樹脂カプセル１０２が本発明の被覆材に相当し，樹脂カプセル１０２内には芳香材１０３が内包されている。同図（ａ）において，１０４はテープ状のベース素材（シート）を示し，１０５はベース素材１０４上に塗布された樹脂カプセル１０２を固定するためのバインダーを示す。ベース素材１０４としては，紙や布，さらにはポリエステル等の樹脂でも良い。実施の形態１では，このように樹脂カプセル１０２が塗布されたベース素材１０４を巻き取ってロールシートとする。
【００２３】
また，同図（ｂ）に示すように，芳香発生感熱紙１０１は，複数のテープ状の領域Ａ１〜Ａ５および領域Ｂ１〜Ｂ８に分けられており，領域Ａ１〜Ａ５には，例えば，原臭となる５種類の芳香材１０３の何れかを内容した樹脂カプセル１０２がそれぞれ塗布されている。したがって，領域Ａ１〜Ａ５の何れか一つを選ぶかまたは同時に複数選ぶことにより，香りを合成して放出させることができる。具体的には，楡の香り，杉の香り，檜の香り，松の香り，桜の香りの匂いを抽出した芳香材１０３が領域Ａ１〜Ａ５に格納されている場合には，所望の組み合わせで香りを発生させることができ，香りの情報によって森林浴のイメージを提供することができる。
【００２４】
このようにｎ個（ここでは５個）の現臭となる芳香材１０３を用意することにより，２n −１種類の香りを発生させることができる。すなわち，ここでは，２5 −１＝３１種類の香りを発生させることができる。近年，香りの原臭は２０ないし３０ぐらいあるであろうと推定する説があるが，この説に従えば，２０個ないし３０個の芳香材１０３を用意することにより，所望の香りを合成することが可能となる。
【００２５】
また，領域Ｂ１〜Ｂ８には，単独で一つの香りがそのものの香りとなる芳香材１０３を内容した樹脂カプセル１０２がそれぞれ塗布されている。この領域ＢＩ〜Ｂ８の芳香材１０３を用いて香りを発生させる場合，必要なときに対応する領域Ｂ１〜Ｂ８の樹脂カプセル１０３を熱溶解または熱破壊して，香りを放出することにより，所望の香り情報を出力することができる。具体的には，リンゴの香り，レモンの香り，バナナの香り，パイナップルの香り等を放出することにより，香りの情報によって果物屋の店先のイメージ等を提供することができる。
【００２６】
この構成は，一般的に使用されているノーカーボン紙タイプの複写紙において，通常塗布されているジアゾ染料の替わりに，芳香材１０３を内包した樹脂カプセル１０２を配置したものであり，作製は容易である。
【００２７】
図２は，芳香発生感熱紙１０１の他の構造例を示し，ここで，２０１はカール防止材，２０２はベース素材，２０３は裏抜け防止材，２０４はバインダー，２０５は芳香材，２０６は芳香漏洩防止被膜を示す。ここでは，カール防止材２０１，ベース素材２０２および被覆材としてのシーツ状の裏抜け防止材２０３から成るテープ状のシート上にバインダー２０４を用いて芳香材２０５を固定し，さらに被覆材としてのシーツ状の芳香漏洩防止被膜２０６を設けてある。
【００２８】
図３および図４は，実施の形態１の芳香発生感熱装置の概略構成図を示し，芳香発生感熱装置３００は，芳香発生感熱紙１０１と，加熱手段としてのサーマルヘッド３０１と，所望の香りを指定するための操作部３０２と，操作部３０２で指定された香りに基づいてサーマルヘッド３０１を駆動する制御部３０３とから構成される。図示の如く，芳香発生感熱紙１０１の一端がプラテンローラ３０４とサーマルヘッド３０１との間を通してセットされている。サーマルヘッド３０１で芳香発生感熱紙１０１の領域Ａ１〜Ａ５またはＢ１〜Ｂ８の特定の領域を加熱して，該位置に対応する芳香材１０３（または，２０５）の香りを放出させる構成である。
【００２９】
制御部３０３およびサーマルヘッド３０１による香りの放出制御は，公知の技術を利用することができる。例えば，図４（ａ），（ｂ）に示すように，共通電極４０１と所望の電極（個別の電極）４０２との間にパルス電圧を印加することによって，所望の位置の抵抗体４０３を発熱させて，対応する位置の被覆材（樹脂カプセル１０２または芳香漏洩防止被膜２０６）を溶かして，芳香材１０３（または２０５）の香りを放出させる。
【００３０】
前述したように実施の形態１によれば，香りを放出する媒体として紙を用いることができ，かつ，香りの放出制御を行うことができる。
【００３１】
〔実施の形態２〕
実施の形態２の芳香発生感熱記録紙を用いたファクシミリ装置について，
▲１▼実施の形態２のファクシミリ装置の構成
▲２▼実施の形態２の芳香発生感熱記録紙の構造
▲３▼具体的な動作
の順で，詳細に説明する。
【００３２】
▲１▼実施の形態２のファクシミリ装置の構成
図５は，実施の形態２のファクシミリ装置のブロック構成図を示す。図において，５０１はファクシミリ装置全体の制御を行うシステム制御部，５０２は各種データを一時記憶するためのＲＡＭ，５０３は制御プログラム・各種データ・ファクシミリ送信データ・ファクシミリ受信データを記憶・保存するためのハードディスク，５０４はファクシミリ送信用の原稿から画像データ（ファクシミリ送信データ）を読み取るスキャナ，５０５は各種オペレーションおよびメッセージの表示等を行うための操作表示部，５０６は電話回線に接続された通信制御部，５０７はファクシミリ送信データの符号化またはファクシミリ受信データの復号化を行う符号化復号化部，５０８はファクシミリ送信データの変倍を行う変倍部，５０９はファクシミリ受信データを所定の紙に出力するサーマルヘッド，５１０は制御バスを示している。
【００３３】
上記の構成から明らかなように実施の形態１のファクシミリ装置としては，特に特別な構成を必要とせず，ファクシミリ装置としての特徴は後述する芳香発生感熱記録紙６０１（図６参照）を受信紙として使用するのみである。
【００３４】
▲２▼実施の形態２の芳香発生感熱記録紙の構造
次に，図６〜図８を参照して，実施の形態２の芳香発生感熱記録紙の構造を説明する。図６および図７は実施の形態２の芳香発生感熱記録紙の構造を示し，図８は実施の形態２のサーマルヘッドと芳香発生感熱記録紙の配置関係を示す説明図である。
【００３５】
実施の形態２では，熱により香りを放出する機能を有した芳香発生感熱記録紙を受信紙として使用し，サーマルヘッド５０９で加熱して香りを放出させる構成である。この芳香発生感熱記録紙は，加熱によって芳香を発生するのみならず，文字，図形等も記録できるようにしてある。換言すれば，熱により香りを放出する機能に加えて従来の感熱記録紙と同様の機能を有している。
【００３６】
具体的には，芳香発生感熱記録紙６０１は，図６に示すように，一般的に使用されているＦａｘロール感熱記録紙の両端に芳香材塗布部分６０２を設けたものであり，中央部分６０３は従来の感熱記録紙と同様の構造である。
【００３７】
芳香材塗布部分６０２には，６０２ａ〜６０２ｅで示すように５種類の香り領域が設けられており，それぞに異なる芳香材が塗布されている。この香り領域６０２ａ〜６０２ｅに塗布された芳香材は，それぞれが単独である特定の香りの芳香材であっても良く，または複数の香り領域の香りを組み合わせて特定の香りを合成するための芳香材（芳香要素）であっても良い。なお，芳香材塗布部分６０２に塗布する芳香材の数・種類は特に限定するものではない。
【００３８】
図７（ａ），（ｂ）は，芳香発生感熱記録紙６０１の芳香材塗布部分６０２における芳香材と感熱発色材の塗布例を示す説明図である。ここで，７０１はカール防止材，７０２はベース素材，７０３は裏抜け防止材，７０４は感熱発色材，７０５はバインダー，７０６は芳香材，７０７は芳香漏洩防止被膜を示す。
【００３９】
同図（ａ）では，カール防止材７０１，ベース素材７０２および裏抜け防止材７０３から成るテープ状のシート上に感熱発色材７０４を配置し，この感熱発色材７０４上に，バインダー７０５を用いて芳香材７０６を固定し，さらに被覆材としての芳香漏洩防止被膜７０７を設けてある。一方，同図（ｂ）では，カール防止材７０１，ベース素材７０２および裏抜け防止材７０３から成るテープ状のシート上にバインダー７０５を用いて芳香材７０６を固定し，その後，感熱発色材７０４を配置し，この感熱発色材７０４上に，さらに被覆材としての芳香漏洩防止被膜７０７を設けてある。
【００４０】
この芳香材塗布部分６０２の構造は，同図（ａ）または（ｂ）の何れでも良いが，同図（ａ）の場合には，加熱時に，芳香漏洩防止被膜７０７，芳香材７０６，感熱発色材７０４の順で加熱されるため，加熱によって芳香材７０６が昇華すると，その香りが，同様に加熱によって破られた芳香漏洩防止被膜７０７の破損部分から放出される。換言すれば，昇華した芳香材７０６が直接空気中に放出されるので，効率良く香りを出すことができるという利点を有している。一方，同図（ｂ）の場合には，加熱時に，芳香漏洩防止被膜７０７，感熱発色材７０４，芳香材７０６の順で加熱されるため，昇華した芳香材７０６が空気中に放出されるまでに，感熱発色材７０４の層を通過しなければならず，香りの放出効率は低下するものの，加熱後，感熱発色材７０４が最上部の層となるので発色を鮮明にすることができるという利点を有している。
【００４１】
図８は，実施の形態２のサーマルヘッド５０９と芳香発生感熱記録紙６０１の配置関係を示す説明図である。図示の如く，芳香発生感熱記録紙６０１の一端がプラテンローラ８０１とサーマルヘッド５０９との間を通してセットされている。サーマルヘッド５０９で芳香発生感熱記録紙６０１を加熱して，ファクシミリ受信した画像データを記録すると共に，芳香発生感熱記録紙６０１の芳香材塗布部分６０２の特定位置を加熱して，該位置に対応する芳香材を昇華させて香りを放出させる構成である。
【００４２】
サーマルヘッド５０９による香りの放出制御は，公知の技術を利用することができるため，説明を省略する。
【００４３】
▲３▼具体的な動作
以上の構成において，図９（ａ），（ｂ）を参照して，実施の形態２の芳香発生感熱記録紙を用いたファクシミリ装置の具体的な送受信動作について説明する。
【００４４】
先ず，図９（ａ）に示すように，送信原稿９０１上に香りを指定するための線９０２を記入する。この線９０２の位置は，受信紙である芳香発生感熱記録紙６０１の芳香材塗布部分６０２に中から香り領域６０２ａ〜６０２ｅの何れかの領域を指定するためのものであり，例えば，送信原稿９０１上において，受信紙（芳香発生感熱記録紙６０１）の香り領域６０２ｂに相当する位置に線９０２を記入することにより，香り領域６０２ｂの芳香材７０６（香り）が指定される。
【００４５】
なお，この線９０２の記入を簡単にするために，香り領域６０２ａ〜６０２ｅに対応した位置にマークが記入された専用の定規９０３を用いると良い。または，あらかじめ送信原稿９０１上の所定位置（香り領域６０２ａ〜６０２ｅに対応した位置）にマークを印刷しておいても良い。
【００４６】
次に，送信側のファクシミリ装置に送信原稿９０１をセットした後，操作表示部５０５のスタートキー（図示せず）を押下すると，システム制御部５０１の制御によって，スキャナ５０４で送信原稿９０１の画像データが読み取られて，符号化復号化部５０７および通信制御部５０６を経てファクシミリ送信される。
【００４７】
受信側のファクシミリ装置は，通信制御部５０６を介して画像データを受信すると，符号化復号化部５０７で画像を復号化した後，サーマルヘッド５０９で芳香発生感熱記録紙６０１に画像データを記録する。このとき，サーマルヘッド５０９が芳香発生感熱記録紙６０１の芳香材塗布部分６０２を加熱することにより，該当する香り領域６０２ａ〜６０２ｅの香りが放出される。また，同時に芳香発生感熱記録紙６０１が通常の加熱記録紙としての役割も果たし，画像データが記録される。
【００４８】
図９（ｂ）は，受信紙である芳香発生感熱記録紙６０１に記録された画像の状態を示している。香りが放出されている芳香材塗布部分６０２には，送信側で書き込んだ線９０２に対応する線９０３が記録されている。換言すれば，線９０３の位置から香りが放出されている。
【００４９】
前述したように実施の形態２によれば，芳香発生感熱記録紙６０１を用いることにより，通常のファクシミリ装置を用いて，画像データと共に，香り情報を相手（受信側）に送信することができる。また，送信側で所望の香り情報を指定して，指定した香り情報を相手（受信側）に送信することができる。
【００５０】
さらに，受信側では，香り情報を受信し，受信した香り情報に基づいて該当する香りを放出することができる。
【００５１】
なお，説明を省略するが，送信原稿９０１上に記入する線９０２の長さを変化させることにより，受信側で放出される香りの強さ（香りの放出量）を制御することも可能である。また，線９０２を複数設けることにより，香りの合成も可能である。
【００５２】
〔実施の形態３〕
実施の形態３は，実施の形態２で示した図６と同様の芳香発生感熱記録紙６０１において，芳香材塗布部分６０２から感熱発色材を取り除いたものである。なお，その他の構成および動作は実施の形態２と同様につき，異なる部分のみを説明する。
【００５３】
図１０（ａ）は，実施の形態３の芳香発生感熱記録紙６０１の芳香材塗布部分６０２を示し，図７（ａ）の芳香材塗布部分６０２と比較すると明らかなように感熱発色材７０４が存在しない構造である。
【００５４】
また，図１０（ｂ）に示すように，芳香発生感熱記録紙６０１の中央部分６０３には，当然ながら芳香材７０６（および芳香漏洩防止被膜７０７）は設けられていない。
【００５５】
すなわち，芳香発生感熱記録紙６０１の作成において，芳香材７０６および感熱発色材７０４を塗布する際に，芳香材７０６のみが塗布された芳香材領域（芳香材塗布部分６０２）と，感熱発色材７０４のみが塗布された感熱発色材領域とを区別して設けたものである。
【００５６】
このような構成とすることによって，芳香発生感熱記録紙６０１を用いたファクシミリ装置で送受信動作を行った場合，図１１（ａ）に示すように送信原稿１１０１に香りを指定する線１１０２を記入して送信すると，図１１（ｂ）に示すように受信紙である芳香発生感熱記録紙６０１では，線１１０２に相当する位置において香りのみが放出され，線１１０２に相当する画像は記録されてない。換言すれば，線１１０２以外の画像データのみが出力される。
【００５７】
前述したように実施の形態３によれば，実施の形態２の効果に加えて，受信紙である芳香発生感熱記録紙６０１上に送信したい画像のみを出力して，本来，不要である画像（香りを指定する線１１０２の画像）を出力しないので，見栄えが良い。
【００５８】
【発明の効果】
以上説明したように，本発明の芳香発生感熱記録紙（請求項１）は，異なる香りを放出する複数の芳香材を，熱溶解または熱破壊される被覆材で被覆して，芳香材毎に帯状の領域に塗布されたため，領域を指定することにより，所望の香りを放出させることができると共に，従来の感熱記録紙としての役割を果たすことができる。
【００６２】
また，本発明の芳香発生感熱記録紙（請求項２）は，請求項１記載の芳香感熱紙において，芳香材毎に定められた前記領域を，中央部を除いた端部に設けられたことものであり，画像データの記録に与える影響を少なくすることができる。
【図面の簡単な説明】
【図１】実施の形態１の芳香発生感熱紙の構造例を示す説明図である。
【図２】実施の形態１の芳香発生感熱紙の他の構造例を示す説明図である。
【図３】実施の形態１の芳香発生感熱装置の概略構成図である。
【図４】実施の形態１の芳香発生感熱装置のサーマルヘッドの構成を示す説明図である。
【図５】実施の形態２のファクシミリ装置のブロック構成図である。
【図６】実施の形態２の芳香発生感熱記録紙の構造を示す説明図である。
【図７】実施の形態２の芳香発生感熱記録紙の構造を示す説明図である。
【図８】実施の形態２のサーマルヘッドと芳香発生感熱記録紙の配置関係を示す説明図である。
【図９】実施の形態２の芳香発生感熱記録紙を用いたファクシミリ装置の具体的な送受信動作を示す説明図である。
【図１０】実施の形態３の芳香発生感熱記録紙の構造を示す説明図である。
【図１１】実施の形態３の芳香発生感熱記録紙を用いたファクシミリ装置の具体的な送受信動作を示す説明図である。
【符号の説明】
１０１    芳香発生感熱紙
１０２    樹脂カプセル（被覆材）
１０３    芳香材
２０４    バインダー
２０５    芳香材
２０６    芳香漏洩防止被膜（被覆材）
３００    芳香発生感熱装置
５０９    サーマルヘッド
６０１    芳香発生感熱記録紙
６０２    芳香材塗布部分（芳香材領域）
６０３    中央部分（感熱発色材領域）
７０６    芳香材
９０２，１１０２    線（香りを指定するための線）
【図１】
0003764804.tif 000002
【図２】
0003764804.tif 000003
【図３】
0003764804.tif 000004
【図４】
0003764804.tif 000005
【図５】
0003764804.tif 000006
【図６】
0003764804.tif 000007
【図７】
0003764804.tif 000008
【図８】
0003764804.tif 000009
【図９】
0003764804.tif 000010
【図１０】
0003764804.tif 000011
【図１１】
0003764804.tif 000012